(57)【要約】【課題】車両の安全を確保しつつ、運転者に各種情報を表示可能な技術を提供する。【解決手段】表示制御装置は、車室内の情報表示領域Ａ１，Ａ２，Ｂ１，Ｂ２の内、運転者が注目する情報表示領域を、運転者の視線やジェスチャー等に基づき判別する（Ｓ１１５，Ｓ１２５，Ｓ１４５）。一方、運転者の運転負荷の高低を判定し（Ｓ１５５，Ｓ１６５）、これに加えて、又は、これに代えて、自車両の衝突危険度の高低を判定する（Ｓ１５５，Ｓ１６５，Ｓ１８０）。これらの判定により、複数の観点で自車両の走行に関する安全性の高低を判定する。そして、安全性が高い環境下では、注目領域が強調表示されるように表示システムを制御する（Ｓ１５５，Ｓ１６５，Ｓ１７５，Ｓ１８０）。一方、安全性が低い環境下では、自車両の安全に寄与する情報を表示する情報表示領域Ａ１，Ａ２が強調表示されるように表示システムを制御する。【選択図】図３
2014130463.tif 000002
【特許請求の範囲】
【請求項１】
自車両に搭載された複数の表示領域（Ａ１，Ａ２，Ｂ１，Ｂ２）を有する表示システムを制御する制御装置（１）であって、
前記複数の表示領域の内、前記自車両の運転者が注目する表示領域としての注目領域を、前記運転者の動作に基づき判別する領域判別手段（１１，１３，１５，１７，Ｓ１１０〜Ｓ１４５）と、
前記運転者による前記自車両の運転状態、及び、前記自車両周辺の状態の少なくとも一方を識別することにより、前記自車両の走行に関する安全性の高低を判定する安全性判定手段（１１，１９，２１，２５，Ｓ２１０，Ｓ２２０，Ｓ３１０，Ｓ３２０，Ｓ４１０）と、
前記安全性判定手段によって前記安全性が高いと判定されている場合には、前記領域判別手段によって判別された前記注目領域に表示される情報が強調表示されるように、前記表示システムを制御する一方、前記安全性判定手段によって前記安全性が低いと判定されている場合には、前記複数の表示領域の内、前記自車両の安全に寄与する情報を表示する特定の表示領域（Ａ１，Ａ２）に表示される情報が強調表示されるように、前記表示システムを制御する制御手段（１１，Ｓ２５０，Ｓ２６０，Ｓ２８０，Ｓ２９０，Ｓ３４０，Ｓ３６０，Ｓ３７０，Ｓ４３０，Ｓ４４０）と、
を備えること
を特徴とする制御装置。
【請求項２】
前記領域判別手段（１１，１７，Ｓ１１０〜Ｓ１２５）は、前記運転者の動作としての前記運転者の視線及び手の動きの少なくとも一つに基づき、前記注目領域を判別すること
を特徴とする請求項１記載の制御装置。
【請求項３】
前記安全性判定手段（１１，１９，Ｓ２１０，Ｓ３１０）は、前記運転者の身体信号に基づき、前記運転者による前記自車両の運転状態として、前記運転者の心理状態を識別すること
を特徴とする請求項１又は請求項２記載の制御装置。
【請求項４】
前記安全性判定手段は、前記身体信号として、前記運転者の血圧及び心拍の少なくとも一つを観測すること
を特徴とする請求項３記載の制御装置。
【請求項５】
前記安全性判定手段（１１，２１，Ｓ２１０，Ｓ３１０）は、前記運転者による前記自車両の運転状態として、前記運転者の操作による自車両の車両状態を識別すること
を特徴とする請求項１〜請求項４のいずれか一項記載の制御装置。
【請求項６】
前記安全性判定手段（１１，２５，Ｓ２２０，Ｓ３２０，Ｓ４１０）は、前記自車両周辺の状態として、前記自車両周辺に位置する車両の交通状態を識別すること
を特徴とする請求項１〜請求項５のいずれか一項記載の制御装置。
【請求項７】
前記複数の表示領域の一つ（Ａ２）は、前記自車両の安全に寄与する情報として、前記自車両の衝突回避に寄与する自車両周辺の情報を表示するものであり、
前記安全性判定手段は、前記自車両周辺の状態を識別することにより、前記自車両の走行に関する安全性の高低として、前記自車両の衝突危険度の高低を判定し、
前記制御手段（１１，Ｓ２５０，Ｓ２６０，Ｓ４３０，Ｓ４４０）は、前記安全性判定手段によって前記衝突危険度が低いと判定されている場合には、前記領域判別手段によって判別された前記注目領域に表示される情報が強調表示されるように、前記表示システムを制御する一方、前記衝突危険度が高いと判定されている場合には、前記自車両の衝突回
避に寄与する自車両周辺の情報を表示する前記表示領域に表示される情報が強調表示されるように、前記表示システムを制御すること
を特徴とする請求項１〜請求項６のいずれか一項記載の制御装置。
【請求項８】
前記複数の表示領域の一つ（Ａ１）は、前記自車両の安全に寄与する情報として、前記自車両の走行速度を含む、法規によって運転者に対する表示が義務付けられた前記自車両の車両情報を表示するものであり、
前記安全性判定手段は、前記自車両の運転状態を識別することにより、前記自車両の走行に関する安全性の高低として、前記運転者の運転負荷の高低を判定し、
前記制御手段（１１，Ｓ２５０，Ｓ２８０，Ｓ３４０，Ｓ３６０）は、前記安全性判定手段によって前記運転負荷が低いと判定されている場合には、前記領域判別手段によって判別された前記注目領域に表示される情報が強調表示されるように、前記表示システムを制御する一方、前記運転負荷が高いと判定されている場合には、前記法規によって運転者に対する表示が義務付けられた前記自車両の車両情報を表示する前記表示領域に表示される情報が強調表示されるように、前記表示システムを制御すること
を特徴とする請求項１〜請求項６のいずれか一項記載の制御装置。
【請求項９】
前記安全性判定手段は、前記自車両の運転状態を識別することにより、前記運転者の運転負荷の高低を判定し、更に前記自車両周辺の状態を識別することにより、前記自車両の衝突危険度の高低を判定し、これらの判定結果の組合せによって、前記自車両の走行に関する安全性の高低を判定する構成にされ、
前記制御手段（１１，Ｓ２５０，Ｓ２６０，Ｓ２８０，Ｓ２９０）は、前記安全性判定手段によって前記運転負荷が低いと判定され、且つ、前記衝突危険度が低いと判定されている場合には、前記注目領域に表示される情報が強調表示されるように、前記表示システムを制御する一方、前記運転負荷が高いと判定されている場合、又は、前記安全性判定手段によって前記衝突危険度が高いと判定されている場合には、前記特定の表示領域に表示される情報が強調表示されるように、前記表示システムを制御すること
を特徴とする請求項１〜請求項６のいずれか一項記載の制御装置。
【請求項１０】
前記複数の表示領域の一つ（Ａ２）は、前記自車両の安全に寄与する情報として、前記自車両の衝突回避に寄与する自車両周辺の情報を表示するものであり、
前記制御手段は、前記安全性判定手段によって前記運転負荷が低いと判定され、且つ、前記衝突危険度が高いと判定されている場合には、前記自車両の衝突回避に寄与する自車両周辺の情報を表示する前記表示領域に表示される情報が強調表示されるように、前記表示システムを制御すること
を特徴とする請求項９記載の制御装置。
【請求項１１】
前記複数の表示領域の一つ（Ａ１）は、前記自車両の安全に寄与する情報として、前記自車両の走行速度を含む、法規によって運転者に対する表示が義務付けられた前記自車両の車両情報を表示するものであり、
前記制御手段は、前記安全性判定手段によって前記運転負荷が高いと判定され、且つ、前記衝突危険度が低いと判定されている場合には、前記法規によって運転者に対する表示が義務付けられた前記自車両の車両情報を表示する前記表示領域に表示される情報が強調表示されるように、前記表示システムを制御すること
を特徴とする請求項９記載の制御装置。
【請求項１２】
前記制御手段は、前記表示システムが有する前記複数の表示領域の明度、彩度及び色相の少なくとも一つを制御することにより、前記強調表示を実現すること
を特徴とする請求項１〜請求項１１のいずれか一項記載の制御装置。
【請求項１３】
前記表示システムは、前記表示領域の夫々に対応する照明手段（３１Ａ，３３Ａ，３５Ａ，３７Ａ）を有し、
前記制御手段は、前記照明手段を制御することにより、前記強調表示を実現すること
を特徴とする請求項１〜請求項１１のいずれか一項記載の制御装置。
【発明の詳細な説明】
【技術分野】
【０００１】
本発明は、車両乗員向けの表示システムを制御する制御装置に関する。
【背景技術】
【０００２】
自動車等の車両に搭載されて、車両乗員向けの情報表示を行う装置としては、例えば、地図等の道路情報を表示する装置、再生曲名等のオーディオ情報を表示する装置、車速等の車両情報を表示する装置、及び、車間距離等の車両周辺情報を表示する装置が知られている。また、これらの表示領域の複数を備えた表示システムが知られている。
【０００３】
この他、上記情報表示を行う装置としては、針を機械的に動かす等して情報をアナログ表示する装置、液晶ディスプレイ又は有機ＥＬディスプレイ（以下、「液晶／有機ＥＬディスプレイ」と表現する。）を備えて情報をディジタル表示する装置、警告灯等のランプを点灯させることにより情報表示を行う装置、ウィンドシールド等に情報表示を行うヘッドアップディスプレイ等が知られている。
【０００４】
また、表示制御を行う装置としては、車室内にある複数の表示領域の内、車両乗員にとって見易い位置にある表示領域に、重要な情報を表示するように表示制御を行う装置（特許文献１参照）が知られている。
【先行技術文献】
【特許文献】
【０００５】
【特許文献１】特開２００２−２２５５９２号公報
【発明の概要】
【発明が解決しようとする課題】
【０００６】
しかしながら、車両乗員にとって見易い位置に重要な情報を表示する上述の従来装置では、次の点で問題があった。即ち、この装置によれば、特に重要な情報については固定領域に、その情報を表示するが、状況に応じて重要度の変化する情報については、状況に応じて情報を表示する領域を変更する。従来装置では、この変更が、運転者による目的の情報を探す手間を増加させる可能性があった。そして、このことが、車両の安全性に好ましくない影響を与える可能性があった。
【０００７】
本発明は、こうした問題に鑑みなされたものであり、車両の安全を確保しつつ、運転者が所望する情報を適切に提供可能な技術を提供することを目的とする。
【課題を解決するための手段】
【０００８】
本発明は、自車両に搭載された複数の表示領域を有する表示システムを制御する制御装置であって、領域判別手段と、安全性判定手段と、制御手段と、を備える。
領域判別手段は、複数の表示領域の内、自車両の運転者が注目する表示領域としての注目領域を、運転者の動作に基づき判別する。一方、安全性判定手段は、運転者による自車両の運転状態、及び、自車両周辺の状態の少なくとも一方を識別することにより、自車両の走行に関する安全性の高低を判定する。
【０００９】
制御手段は、安全性判定手段によって安全性が高いと判定されている場合には、領域判別手段によって判別された注目領域に表示される情報が強調表示されるように、表示システムを制御する一方、安全性判定手段によって安全性が低いと判定されている場合には、複数の表示領域の内、自車両の安全に寄与（貢献）する情報を表示する特定の表示領域に
表示される情報が強調表示されるように、表示システムを制御する。
【００１０】
この制御装置によれば、安全性が高いときには、強調表示によって、運転者が所望する情報を運転者が簡単に見つけられるように視認性を高めて表示することができる。一方、安全性が低いときには、車両の安全のために運転者に提供すべき情報を、視認性を高めて表示することができる。
【００１１】
即ち、本発明によれば、運転者が所望する情報や車両の安全のために運転者に提供すべき情報に対する強調表示を、状況に応じて適切に切り替えることができる。従って、本発明によれば、車両の安全を確保しつつ、運転者が所望する情報を適切に強調表示することができる。
【００１２】
ところで、領域判別手段は、運転者の動作としての運転者の視線及び手の動きの少なくとも一つに基づき、注目領域を判別する構成にすることができる。この制御装置によれば、運転者の動きから迅速に注目領域を判別することができる。
【００１３】
また、安全性判定手段は、運転者の身体信号に基づき、運転者による自車両の運転状態として、運転者の心理状態を識別する構成にすることができる。運転者の心理状態に応じて強調表示を切り替えれば、車両の安全を確保した表示による情報提供をより一層適切に行うことができる。
【００１４】
この他、安全性判定手段は、自車両の運転状態として、運転者の操作による自車両の車両状態を識別する構成にされてもよいし、自車両周辺の状態として、自車両周辺に位置する車両の交通状態を識別する構成にされてもよい。この識別によっても、車両の安全を確保した表示による情報提供をより一層適切に行うことができる。
【図面の簡単な説明】
【００１５】
【図１】制御システム１の概略構成を表すブロック図である。
【図２】表示システム３０を構成する複数の表示装置３１，３３，３５，３７の配置を表す図である。
【図３】表示制御装置１１が実行する表示制御処理を表すフローチャートである。
【図４】表示制御装置１１が実行する処理をブロック化して表した図である。
【図５】表示制御装置１１が実行する領域Ｂ２制御処理を表すフローチャートである。
【図６】情報表示領域Ｂ２が強調表示されている状況を説明した図である。
【図７】情報表示領域Ａ２が強調表示されている状況を説明した図である。
【図８】情報表示領域Ａ１が強調表示されている状況を説明した図である。
【図９】表示制御装置１１が実行する領域Ｂ１制御処理を表すフローチャートである。
【図１０】表示制御装置１１が実行する領域Ａ１制御処理を表すフローチャートである。
【図１１】単一の表示装置４１に複数の情報表示領域Ａ１，Ａ２，Ｂ１，Ｂ２を有する表示システム４０の概略構成を表す図である。
【発明を実施するための形態】
【００１６】
以下に本発明の実施例について、図面と共に説明する。但し、本発明は、以下に説明する実施例に限定されるものではなく、種々の態様を採ることができる。
図１に示す本実施例の制御システム１は、車両（特に四輪自動車）に搭載されるものであり、表示制御装置１１と、操作入力装置１３と、音入力装置１５と、車室内カメラ１７と、身体測定装置群１９と、車両状態検出装置群２１と、ナビゲーション装置本体２３と、周辺観測装置２５と、を備える。
【００１７】
表示制御装置１１は、車室内の表示システム３０を制御するものであり、ＣＰＵ１１Ａと、ＲＯＭ１１Ｂと、ＲＡＭ１１Ｃとを備えた構成にされる。ＣＰＵ１１Ａは、各種プログラムに従う処理を実行するものであり、ＲＯＭ１１Ｂは、これらプログラムを記憶する不揮発性メモリである。ＲＯＭ１１Ｂとしては、フラッシュメモリ等の電気的にデータ書換可能な不揮発性メモリ（ＮＶＲＡＭ）を採用することも可能である。この他、ＲＡＭ１１Ｃは、ＣＰＵ１１Ａによる処理実行時に作業領域として使用される。
【００１８】
一方、操作入力装置１３は、ユーザからの操作を受け付けて、この操作信号を表示制御装置１１に入力するものである。操作入力装置１３は、例えば、車室内のコンソールに設けられたメカニカルなキー、及び、このキー操作に対応する信号を表示制御装置１１に入力する回路から構成される。
【００１９】
この他、操作入力装置１３は、リモートコントローラ及びその受信機から構成されてもよいし、タッチパネルにより構成されてもよいし、これら種類の異なる装置の一群から構成されてもよい。タッチパネルは、例えば、表示システム３０を構成する複数の表示装置３１，３３，３５，３７の内、液晶／有機ＥＬディスプレイを備える表示装置の情報表示領域（表示画面）上に設けることができる。表示システム３０の詳細構成については後述する。
【００２０】
また、音入力装置１５は、運転者から発せられた音声を収集し、この音声信号をディジタル信号として表示制御装置１１に入力するものである。音入力装置１５は、例えば、マイクロフォン、及び、マイクロフォンから入力される音声信号をディジタル信号に変換した信号であって、雑音成分を除去した信号を表示制御装置１１に入力する回路から構成される。
【００２１】
また、車室内カメラ１７は、運転者の頭部及び手を含む少なくとも上半身を撮影可能に設置され、その撮影画像を表す映像信号をディジタル信号として表示制御装置１１に入力するものである。
【００２２】
この他、身体測定装置群１９は、運転者の身体信号を測定する装置の一群から構成される。具体的に、制御システム１は、身体測定装置群１９を構成する装置として、運転者の心理状態によって変化する身体信号としての、血圧、及び、心拍を測定可能な装置を備える。この身体測定装置群１９には、他に運転者の脳波や心電、体温、及び、筋肉の緊張度等を測定可能な装置を設けることができる。身体測定装置群１９を構成する装置の夫々は、身体信号の測定値を表示制御装置１１に入力可能な構成にされる。
【００２３】
また、車両状態検出装置群２１は、自車両の車両状態を検出可能な装置の一群から構成される。この車両状態検出装置群２１には、例えば、車速（車両の走行速度）、エンジン回転数、水温、バッテリ電圧、燃料残量、方向指示器のオン／オフ、シフトレバー位置、及び、操舵角等を検出可能な装置が含まれる。車両状態検出装置群２１を構成する装置の夫々は、これら車両状態の検出値を表示制御装置１１に入力可能な構成にされる。
【００２４】
また、ナビゲーション装置本体２３は、表示システム３０を介して、運転者に道路情報としての地図を表示したり、目的地までの経路を表示及び音声案内したりする機能を備える電子機器である。このナビゲーション装置本体２３は、表示装置を有さないが、表示システム３０を介した情報表示及び音声案内により、周知のナビゲーション装置と同様の機能を果たす。
【００２５】
即ち、ナビゲーション装置本体２３は、表示システム３０に表示させる道路情報等を表示制御装置１１に入力することにより、表示制御装置１１に、表示システム３０を制御さ
せて、表示システム３０に、この情報を表示させる。
【００２６】
この他、周辺観測装置２５は、運転支援のために、自車両周辺の状態を識別し、この状態を表す車両周辺情報を、表示制御装置１１に入力する電子機器である。この情報入力によって、運転者には、表示システム３０を介して、車両の安全に寄与する車両周辺情報（特に衝突回避に役立つ情報）が提供され、運転支援が実現される。
【００２７】
周辺観測装置２５は、例えば、自車両周辺に位置する車両及び人についての自車両との相対位置や相対速度を、レーダ装置２５１や、自車両周囲を撮影する車外カメラ２５３を用いて検出すると共に、これらの車両及び人の動きを周知のカルマンフィルタ等を用いて予測し、この検出結果及び予測結果を表す車両周辺情報を表示制御装置１１に入力する。
【００２８】
更に言えば、この周辺観測装置２５は、車外カメラ２５３による撮影画像を解析することにより、走行レーンに対する自車両の姿勢を検出し、この検出結果を車両周辺情報として、表示制御装置１１に入力する構成にすることができる。
【００２９】
続いて、表示システム３０の構成について、図１及び図２を用いて説明する。図１に示す本実施例の表示システム３０は、複数の表示装置３１，３３，３５，３７を備える。更に、これらの表示装置３１，３３，３５，３７の夫々は、自己の情報表示領域Ａ１，Ａ２，Ｂ１，Ｂ２（図２参照）の周囲に、照明ユニット３１Ａ，３３Ａ，３５Ａ，３７Ａ（図１参照）を備えた構成にされる。
【００３０】
照明ユニット３１Ａ，３３Ａ，３５Ａ，３７Ａは、対応する情報表示領域Ａ１，Ａ２，Ｂ１，Ｂ２の周囲を明るくするものであり、例えば、ＬＥＤにより構成される。
表示装置３１，３３，３５，３７は、表示制御装置１１に制御されて、自装置の情報表示領域Ａ１，Ａ２，Ｂ１，Ｂ２が表示する情報を更新する一方、表示制御装置１１に制御されて、自装置の照明ユニット３１Ａ，３３Ａ，３５Ａ，３７Ａをオン（点灯）／オフ（消灯）する。
【００３１】
このオン／オフによって、表示システム３０では、照明ユニット３１Ａ，３３Ａ，３５Ａ，３７Ａの内の一つのみが、対応する情報表示領域Ａ１，Ａ２，Ｂ１，Ｂ２の周囲を明るくする。この結果として、表示装置３１，３３，３５，３７が有する情報表示領域Ａ１，Ａ２，Ｂ１，Ｂ２の一つのみが、残りの情報表示領域に対して強調表示される。
【００３２】
付言すると、照明ユニット３１Ａ，３３Ａ，３５Ａ，３７Ａは、白色光を発するものであってもよいし、一層の強調表示を実現するために、カラフルな光を発するものであってもよい。
【００３３】
また、照明ユニット３１Ａ，３３Ａ，３５Ａ，３７Ａは、光を情報表示領域Ａ１，Ａ２，Ｂ１，Ｂ２に照射することによって、情報表示領域Ａ１，Ａ２，Ｂ１，Ｂ２を視認性良く強調表示してもよいが、例えば、光を運転者側に向けて照射することによって、当該情報表示領域Ａ１，Ａ２，Ｂ１，Ｂ２を強調表示するものであってもよい。この他、情報表示領域Ａ１，Ａ２，Ｂ１，Ｂ２が光を透過する材料にて構成されるものである場合、照明ユニット３１Ａ、３３Ａ，３５Ａ，３７Ａは、情報表示領域Ａ１、Ａ２，Ｂ１，Ｂ２を背面から照らすバックライトとして構成されてもよい。
【００３４】
図２に示す表示システム３０の例によれば、表示装置３１は、情報表示領域Ａ１に、車速やシフトレバー位置等を表示するメーターパネルとして構成される。この表示装置３１の情報表示領域Ａ１には、表示制御装置１１の制御により、車両の安全に寄与する情報であって法規により表示が義務付けられた情報を含む自車両の基本的な車両情報が表示され
る。
【００３５】
この表示装置３１は、例えば、アナログの計器類を備えて、車速や水温、燃料残量等をアナログ表示したり、メーターパネル裏のランプをオン／オフすることにより、シフトレバー位置の表示や各種警告表示を行ったりするアナログ表示装置として構成される。但し、この表示装置３１は、液晶／有機ＥＬディスプレイを備え、計器類をディジタル表示するものであってもよい。
【００３６】
照明ユニット３１Ａは、この表示装置３１が有する情報表示領域Ａ１の周囲に設けられて、表示制御装置１１によりオンにされた状態では、情報表示領域Ａ１を運転者に対して強調表示する。
【００３７】
この他、図２に示す例によれば、表示装置３３は、運転者の前方視界において、その視界を遮ることのないように配置された透明板に情報表示を行うヘッドアップディスプレイとして構成される。このヘッドアップディスプレイは、別例として、ウィンドシールドを、上記透明板として利用する構成にすることができる。この表示装置３３の情報表示領域Ａ２には、表示制御装置１１の制御により、車両の安全に寄与する情報であって特に衝突回避に役立つ情報として周辺観測装置２５から得られる車両周辺情報が表示される。
【００３８】
例えば、情報表示領域Ａ２には、自車両周辺に位置する車両及び人の自車両に対する相対位置及び想定速度、並びに、これら車両及び人の予想される未来の移動軌跡、並びに、自車両の走行レーンに対する姿勢を表す情報が表示される。この情報表示については、例えば、イラスト画像や文字画像によって、又は、ＡＲ（拡張現実）技術によって実現することができる。
【００３９】
照明ユニット３３Ａは、この表示装置３３が有する情報表示領域Ａ２の周囲に設けられて、表示制御装置１１によりオンにされた状態では、情報表示領域Ａ２を運転者に対して強調表示する。
【００４０】
また、図２に示す例によれば、表示装置３５は、運転者の前方視界から車室内中央側に離れた位置に配置される。この表示装置３５が有する液晶／有機ＥＬディスプレイで構成される情報表示領域Ｂ１には、表示制御装置１１の制御により、車両の安全に直接的は寄与せず、且つ、実質的に変化の少ない簡素な情報である車室内温度（実温度／エアーコンディショナー設定温度）及び時刻の情報が表示される。照明ユニット３５Ａは、この表示装置３５による情報表示領域Ｂ１の周囲に設けられて、表示制御装置１１によりオンにされた状態では、情報表示領域Ｂ１を運転者に対して強調表示する。
【００４１】
また、図２に示す例によれば、表示装置３７は、運転者の前方視界から車室内中央側に離れた位置に配置される。この表示装置３７が有する液晶／有機ＥＬディスプレイにより構成される情報表示領域Ｂ２には、表示制御装置１１の制御により、車両の安全に直接的は寄与しないナビゲーション装置本体２３から提供される道路情報等が表示される。
【００４２】
照明ユニット３７Ａは、この表示装置３７が有する情報表示領域Ｂ２の周囲に設けられて、表示制御装置１１によりオンにされた状態では、情報表示領域Ｂ２を運転者に対して強調表示する。
【００４３】
続いて、表示制御装置１１（詳細にはＣＰＵ１１Ａ）がＲＯＭ１１Ｂに記録されたプログラムに従って実行する表示制御処理について、図３を用いて説明する。表示制御装置１１は、当該表示制御処理を実行することにより、情報表示領域Ａ１，Ａ２，Ｂ１，Ｂ２に表示する情報を制御すると共に、照明ユニット３１Ａ，３３Ａ，３５Ａ，３７Ａのオン／
オフを制御する。表示制御装置１１は、例えば、自車両のアクセサリスイッチがオンにされると、この表示制御処理を、アクセサリスイッチがオフにされるまで繰り返し実行する。
【００４４】
表示制御処理を開始すると、表示制御装置１１は、運転者により情報表示領域Ａ１，Ａ２，Ｂ１，Ｂ２のいずれかが注視されているか否かを判断する（Ｓ１１０）。この判断のために、表示制御装置１１は、ＲＯＭ１１Ｂに記録されたプログラムに従って、車室内カメラ１７の映像信号から、運転者の視線を追尾する視線検出処理Ｐ１（図４参照）を、表示制御処理Ｐ０とは別に並列実行する。
【００４５】
表示制御装置１１は、この視線検出処理Ｐ１の検出結果に基づいて、例えば、情報表示領域Ａ１，Ａ２，Ｂ１，Ｂ２のいずれかに運転者の視線が基準時間以上合わせられているか否かを判断する。これによって、運転者により情報表示領域Ａ１，Ａ２，Ｂ１，Ｂ２のいずれかが注視されているか否かを判断する。尚、基準時間については、情報表示領域Ａ１，Ａ２，Ｂ１，Ｂ２の情報を運転者が所望しているか否かを一定の精度で判別できる程度の短い時間に設定することができる。
【００４６】
情報表示領域Ａ１，Ａ２，Ｂ１，Ｂ２のいずれかに運転者の視線が基準時間以上合わせられており、運転者により情報表示領域Ａ１，Ａ２，Ｂ１，Ｂ２のいずれかが注視されていると判断すると（Ｓ１１０でＹｅｓ）、表示制御装置１１は、情報表示領域Ａ１，Ａ２，Ｂ１，Ｂ２の内の当該注視された一つの情報表示領域Ａ１，Ａ２，Ｂ１，Ｂ２を運転者による注目領域として特定し（Ｓ１１５）、Ｓ１５０に移行する。
【００４７】
一方、Ｓ１１０で否定判断すると、表示制御装置１１は、Ｓ１２０に移行し、情報表示領域Ａ１，Ａ２，Ｂ１，Ｂ２を指し示すジェスチャーが行われているか否かを判断する（Ｓ１２０）。この判断のために、表示制御装置１１は、ＲＯＭ１１Ｂに記録されたプログラムに従って、車室内カメラ１７の映像信号から、運転者のジェスチャーを検出するジェスチャー検出処理Ｐ２（図４参照）を表示制御処理Ｐ０とは別に並列実行する。検出対象のジェスチャーとしては、指や手により物体を指し示すジェスチャーを例に挙げることができる。
【００４８】
Ｓ１２０において、表示制御装置１１は、このジェスチャー検出処理Ｐ２の検出結果に基づいて、情報表示領域Ａ１，Ａ２，Ｂ１，Ｂ２のいずれかを指し示すジェスチャーがなされたか否かを判断する。
【００４９】
そして、当該ジェスチャーがなされたと肯定判断すると（Ｓ１２０）、表示制御装置１１は、情報表示領域Ａ１，Ａ２，Ｂ１，Ｂ２の内の当該ジェスチャーにより指し示された一つの情報表示領域Ａ１，Ａ２，Ｂ１，Ｂ２を運転者による注目領域として特定し（Ｓ１２５）、Ｓ１５０に移行する。
【００５０】
一方、Ｓ１２０で否定判断すると、表示制御装置１１は、Ｓ１３０に移行し、操作入力装置１３に対する操作がなされたか否かを判断する。即ち、操作入力装置１３を構成するタッチパネルに対するタッチ操作や、リモートコントローラ等に対する操作がなされたか否かを判断する。尚、表示制御装置１１は、操作入力装置１３からの入力信号に基づき、操作入力装置１３に対する操作を検出する入力操作検出処理Ｐ３（図４参照）を表示制御処理Ｐ０とは別に並列実行する。表示制御装置１１は、この入力操作検出処理Ｐ３の検出結果に従って、操作入力装置１３に対する操作がなされたか否かを判断する。
【００５１】
そして、操作入力装置１３に対する操作がなされたと判断すると（Ｓ１３０でＹｅｓ）、情報表示領域Ａ１，Ａ２，Ｂ１，Ｂ２の内、その操作に対応する一つの情報表示領域Ａ
１，Ａ２，Ｂ１，Ｂ２を運転者による注目領域として特定し（Ｓ１４５）、Ｓ１５０に移行する。上記操作に対応する情報表示領域としては、操作に対応して情報更新が行われる領域又はタッチされた情報表示領域を一例に挙げることができる。
【００５２】
また、Ｓ１３０で否定判断すると、表示制御装置１１は、Ｓ１４０に移行し、音入力装置１５を用いた音声操作がなされたか否かを判断する。尚、表示制御装置１１は、表示制御処理Ｐ０とは別に、音入力装置１５からの入力信号に基づき、車両乗員の音声操作を検出する音声操作検出処理Ｐ４（図４参照）を実行する。表示制御装置１１は、この音声操作検出処理Ｐ４の検出結果に従って、音声操作がなされたか否かを判断する。
【００５３】
そして、音声操作がなされたと判断すると（Ｓ１４０でＹｅｓ）、表示制御装置１１は、情報表示領域Ａ１，Ａ２，Ｂ１，Ｂ２の内、その音声操作に対応する一つの情報表示領域Ａ１，Ａ２，Ｂ１，Ｂ２を運転者による注目領域として特定し（Ｓ１４５）、Ｓ１５０に移行する。上記音声操作に対応する情報表示領域Ａ１，Ａ２，Ｂ１，Ｂ２としては、音声操作に対応して情報更新が行われる領域、又は、音声操作により車両乗員から指定された情報表示領域を一例に挙げることができる。
【００５４】
この他、Ｓ１４０で否定判断すると、表示制御装置１１は、Ｓ１９０に移行して、情報表示領域Ａ１，Ａ２，Ｂ１，Ｂ２を制御し、情報表示領域Ａ１，Ａ２，Ｂ１，Ｂ２に表示する情報を最新の情報に更新した後、表示制御処理を一旦終了する。
【００５５】
一方、Ｓ１５０に移行すると、表示制御装置１１は、上記特定した注目領域の種類に応じて処理を切り替える（Ｓ１５０，Ｓ１６０，Ｓ１７０，Ｓ１８０）。
具体的に、注目領域が情報表示領域Ｂ２である場合には（Ｓ１５０でＹｅｓ）、Ｓ１５５に移行し、図５に示す領域Ｂ２制御処理を実行する。一方、注目領域が情報表示領域Ｂ１である場合には（Ｓ１５０でＮｏ及びＳ１６０でＹｅｓ）、Ｓ１６５に移行し、図９に示す領域Ｂ１制御処理を実行する。この他、注目領域が情報表示領域Ａ２である場合には（Ｓ１５０，Ｓ１６０でＮｏ及びＳ１７０でＹｅｓ）、Ｓ１７５に移行し、領域Ａ２制御処理を実行する。また、注目領域が情報表示領域Ａ１である場合には（Ｓ１５０，Ｓ１６０，Ｓ１７０でＮｏ）、Ｓ１８０に移行し、領域Ａ１制御処理を実行する。
【００５６】
Ｓ１５５にて領域Ｂ２制御処理を開始すると、表示制御装置１１は、図５に示すように、運転者の運転負荷の高低を判定する（Ｓ２１０）。この判定は、身体測定装置群１９から運転者の身体信号の測定値を取得して蓄積する身体信号観測処理Ｐ５（図４参照）が蓄積した測定値、及び、車両状態検出装置群２１が検出した車両状態の検出値を取得して蓄積する車両状態観測処理Ｐ６が蓄積した検出値に基づき、行われる。身体信号観測処理Ｐ５及び車両状態観測処理Ｐ６は、表示制御装置１１が、ＲＯＭ１１Ｂに記録されたプログラムに従って、表示制御処理Ｐ０とは別に並列実行する処理である。
【００５７】
運転負荷の判定方法としては様々な方法が考えられるが、Ｓ２１０では、例えば、次に列挙した条件（１）〜（７）のいずれか一つが満足された場合に、運転負荷が高いと判定し、それ以外の場合には、運転負荷が低いと判定することができる。
【００５８】
（１）現在の運転者の心拍数が基準値以上である。
（２）現在の運転者の血圧が平時の血圧として登録された値から基準以上上昇している。
【００５９】
（３）現在の運転者の脳波又は心電が、運転者が緊張又は興奮している状態にあることを示している。
（４）現在の車速が基準値以上である。
【００６０】
（５）現在の自車両の加速度又は減速度が基準値以上である。
（６）シフトレバーがリアに設定されている。
（７）操舵角が基準値以上である。
【００６１】
上記条件（１）〜（３）は、運転者による車両の運転状態として、運転者の心理状態を識別するための条件である。条件（１）〜（３）が満足される場合には、運転者が緊張／興奮した状態であると識別することができる。
【００６２】
また、条件（４）〜（７）は、運転者の運転操作による車両状態であって、特に運転者に対して通常時よりも運転への注意が求められる運転操作が行われている車両状態を識別するための条件である。例えば、条件（５）によれば、運転者に対して通常時よりも運転への注意が求められる加減速を伴う運転操作が行われている車両状態であると識別することができる。
【００６３】
条件（１）〜（７）のいずれかが満足される状態は、高い運転負荷が運転者に対して作用している状態である可能性が高く、自車両の走行に関する安全性が低い状態である可能性が高い。Ｓ２１０では、このような観点で運転者の運転負荷の高低を判定し、これによって自車両の走行に関する安全性の高低を判定する。
【００６４】
但し、条件（１）〜（７）は、あくまで一例であるので、例えば、条件（４）〜（７）の内、車速に関する条件（４）〜（５）以外の条件（６）（７）を削除した判定態様や、車両状態に関する条件（４）〜（７）を削除した判定態様や、運転者の心理状態に関する条件（１）〜（３）を削除した判定態様等の様々な判定態様が考えられる。
【００６５】
Ｓ２１０での上記判定を終えると、表示制御装置１１は、自車両周辺の状態を識別することにより、自車両の衝突危険度の高低を判定する（Ｓ２２０）。具体的に、表示制御装置１１は、周辺観測装置２５から取得された車両周辺情報に基づき、自車両周辺の状態として、自車両周辺に位置する車両及び人の交通状態を識別し、自車両の衝突危険度の高低を判定する。
【００６６】
上述したように、周辺観測装置２５は自車両周辺に位置する車両及び人の未来における位置軌跡を予測し、これを車両周辺情報として出力する。表示制御装置１１は、この情報に基づいて上記交通状態を識別し、自車両が自車両周辺に位置する車両及び人と衝突する確率が基準以上あると判断される場合、衝突危険度が高いと判定し、そうでない場合には、衝突危険度が低いと判定する。Ｓ２２０では、このようにして衝突危険度の高低を判定することによって、自車両の走行に関する安全性の高低を判定する。
【００６７】
衝突危険度の判定を終えると、表示制御装置１１は、Ｓ２１０における運転負荷の判定結果及びＳ２２０における衝突危険度の判定結果に従って、後続処理を切り替える（Ｓ２３０，Ｓ２４０，Ｓ２７０）。
【００６８】
具体的に、表示制御装置１１は、運転負荷が低いと判定され、且つ、衝突危険度が低いと判定されている場合（Ｓ２３０でＮｏ及びＳ２４０でＮｏ）、Ｓ２５０に移行して、運転者の注目領域である情報表示領域Ｂ２が強調表示され、その他の情報表示領域Ａ１，Ａ２，Ｂ１が非強調表示されるように、照明ユニット３１Ａ，３３Ａ，３５Ａ，３７Ａをオン／オフ制御する。即ち、Ｓ２５０によれば、図６において太い破線で囲まれた情報表示領域Ｂ２が強調表示される。
【００６９】
Ｓ２５０では、情報表示領域Ｂ２に対応する照明ユニット３７Ａをオンに設定し、情報
表示領域Ａ１，Ａ２，Ｂ１に対応する照明ユニット３１Ａ，３３Ａ，３５Ａをオフに設定することで、情報表示領域Ｂ２を強調表示することができる。その後、当該領域Ｂ２制御処理を終了する。
【００７０】
一方、表示制御装置１１は、運転負荷が低いと判定され、且つ、衝突危険度が高いと判定されている場合（Ｓ２３０でＮｏ及びＳ２４０でＹｅｓ）、Ｓ２６０に移行して、図７に示すように、注目領域である情報表示領域Ｂ２ではなく、車両の安全に寄与する車両周辺情報を表示する情報表示領域Ａ２が強調表示され、他の情報表示領域Ａ１，Ｂ１，Ｂ２が非強調表示されるように、照明ユニット３１Ａ，３３Ａ，３５Ａ，３７Ａをオン／オフ制御する。
【００７１】
即ち、Ｓ２６０によれば、図７において太い破線で囲まれた情報表示領域Ａ２が強調表示される。強調表示の方法は、オン／オフのパターンが異なるだけでＳ２５０での処理と同様である。その後、当該領域Ｂ２制御処理を終了する。
【００７２】
この他、表示制御装置１１は、運転負荷が高いと判定され、且つ、衝突危険度が低いと判定されている場合には（Ｓ２３０でＹｅｓ及びＳ２７０でＮｏ）、Ｓ２８０に移行して、注目領域である情報表示領域Ｂ２ではなく、安全運転に寄与する情報であって法規により表示が義務付けられた車速等の車両情報を表示する情報表示領域Ａ１が強調表示され、他の情報表示領域Ａ２，Ｂ１，Ｂ２が非強調表示されるように、照明ユニット３１Ａ，３３Ａ，３５Ａ，３７Ａをオン／オフ制御する（Ｓ２８０）。
【００７３】
即ち、Ｓ２８０によれば、図８において太い破線で囲まれた情報表示領域Ａ１が強調表示される。その後、表示制御装置１１は、当該領域Ｂ２制御処理を終了する。尚、運転負荷が高いと判定され、衝突危険度が低いと判定されている場合に、情報表示領域Ａ２を強調表示しないのは、自車両に衝突に関する具体的な危険が迫っているわけではないためである。
【００７４】
一方、表示制御装置１１は、運転負荷が高いと判定され、且つ、衝突危険度が高いと判定されている場合（Ｓ２３０でＹｅｓ及びＳ２７０でＹｅｓ）、Ｓ２９０に移行して、情報表示領域Ａ２が強調表示され、他の情報表示領域Ａ１，Ｂ１，Ｂ２が非強調表示されるように、照明ユニット３１Ａ，３３Ａ，３５Ａ，３７Ａをオン／オフ制御する。その後、当該領域Ｂ２制御処理を終了する。
【００７５】
そして、Ｓ１５５（図３参照）における領域Ｂ２制御処理を終了すると、表示制御装置１１は、Ｓ１９０に移行し、情報表示領域Ａ１，Ａ２，Ｂ１，Ｂ２が表示する情報を最新の情報に更新した後、当該表示制御処理を一旦終了する。
【００７６】
この他、Ｓ１６５にて図９に示す領域Ｂ１制御処理を開始すると、表示制御装置１１は、領域Ｂ２制御処理でのＳ２１０，Ｓ２２０での処理と同様に、まず、運転者の運転負荷の高低を判定すると共に（Ｓ３１０）、自車両の衝突危険度を判定する（Ｓ３２０）。その後、これらの判定結果に従って、処理を切り替える（Ｓ３３０，Ｓ３５０）。
【００７７】
具体的に、表示制御装置１１は、運転負荷が低いと判定されている場合には（Ｓ３３０でＮｏ）、Ｓ３４０に移行し、運転者の注目領域である情報表示領域Ｂ１が強調表示され、その他の情報表示領域Ａ１，Ａ２，Ｂ２が非強調表示されるように、照明ユニット３１Ａ，３３Ａ，３５Ａ，３７Ａをオン／オフ制御する。
【００７８】
尚、領域Ｂ１制御処理では、衝突危険度が高いと判定されている状況下でも、運転負荷が低いと判定されている場合には、注目領域である情報表示領域Ｂ１を強調表示する。そ
の理由は、情報表示領域Ｂ１に表示される情報が簡素な情報であるためである。
【００７９】
この簡素な情報の確認のために、運転者の視線が長い間、車両の前方から外れる可能性は小さく、運転者が所望する情報表示領域Ｂ１を強調表示しても、車両の安全に悪い影響を与える可能性は、小さい。領域Ｂ１制御処理では、このような理由により、運転負荷が低いと判定されている場合には、一律に、注目領域である情報表示領域Ｂ１を強調表示する。
【００８０】
一方、表示制御装置１１は、運転負荷が高いと判定され、且つ、衝突危険度が低いと判定されている場合（Ｓ３３０でＹｅｓ及びＳ３５０でＮｏ）、Ｓ３６０に移行して、Ｓ２８０（図５参照）での処理と同様、注目領域である情報表示領域Ｂ１ではなく、情報表示領域Ａ１が強調表示され、他の情報表示領域Ａ２，Ｂ１，Ｂ２が非強調表示されるように、照明ユニット３１Ａ，３３Ａ，３５Ａ，３７Ａをオン／オフ制御する。
【００８１】
このようにして、表示制御装置１１は、運転負荷が高いときには、安全運転に寄与する情報を強調表示する。その後、当該領域Ｂ１制御処理を終了する。
この他、表示制御装置１１は、運転負荷が高いと判定され、且つ、衝突危険度が高いと判定されている場合（Ｓ３３０でＹｅｓ及びＳ３５０でＹｅｓ）、Ｓ３７０に移行して、Ｓ２９０での処理と同様、情報表示領域Ａ２が強調表示され、他の情報表示領域Ａ１，Ｂ１，Ｂ２が非強調表示されるように、照明ユニット３１Ａ，３３Ａ，３５Ａ，３７Ａをオン／オフ制御する。その後、当該領域Ｂ１制御処理を終了する。
【００８２】
そして、Ｓ１６５（図３参照）における領域Ｂ１制御処理を終了すると、表示制御装置１１は、Ｓ１９０に移行し、情報表示領域Ａ１，Ａ２，Ｂ１，Ｂ２に表示する情報を最新の情報に更新した後、表示制御処理を一旦終了する。
【００８３】
また、表示制御装置１１は、運転者の注目領域が情報表示領域Ａ２である場合（Ｓ１７０でＹｅｓ）、Ｓ１７５にて領域Ａ２制御処理を実行するが、この領域Ａ２制御処理では、運転者の運転負荷及び衝突危険度に依らず、この注目領域である情報表示領域Ａ２が強調表示され、他の情報表示領域Ａ１，Ｂ１，Ｂ２が非強調表示されるように、照明ユニット３１Ａ，３３Ａ，３５Ａ，３７Ａをオン／オフ制御する。その後、Ｓ１９０に移行する。
【００８４】
情報表示領域Ａ２は、衝突回避に大変役立つ車両周辺情報を表示する領域である。このため、本実施例では、注目領域が情報表示領域Ａ２である場合には、運転負荷及び衝突危険度の高低に依らずに、運転者の所望する車両周辺情報を、運転者に対して見易く表示する。
【００８５】
この他、表示制御装置１１は、運転者の注目領域が情報表示領域Ａ１である場合、Ｓ１８０にて、図１０に示す領域Ａ１制御処理を実行する。領域Ａ１制御処理を開始すると、表示制御装置１１は、Ｓ２２０での処理と同様に、自車両の衝突危険度を判定し（Ｓ４１０）、その後、衝突危険度の判定結果に従って、処理を切り替える（Ｓ４２０）。
【００８６】
具体的に、表示制御装置１１は、衝突危険度が低いと判定されている場合には（Ｓ４２０でＮｏ）、Ｓ４３０に移行して、注目領域である情報表示領域Ａ１が強調表示され、他の情報表示領域Ａ２，Ｂ１，Ｂ２が非強調表示されるように、照明ユニット３１Ａ，３３Ａ，３５Ａ，３７Ａをオン／オフ制御する。その後、当該領域Ａ１制御処理を終了する。
【００８７】
一方、表示制御装置１１は、衝突危険度が高いと判定されている場合には（Ｓ４２０でＹｅｓ）、Ｓ４４０に移行して、情報表示領域Ａ２が強調表示され、他の情報表示領域Ａ
１，Ｂ１，Ｂ２が非強調表示されるように、照明ユニット３１Ａ，３３Ａ，３５Ａ，３７Ａをオン／オフ制御する。その後、当該領域Ａ１制御処理を終了し、Ｓ１９０に移行する。
【００８８】
以上に、本実施例の制御システム１の構成について説明したが、本実施例によれば、表示制御装置１１が、自車両の表示システム３０が有する複数の情報表示領域Ａ１，Ａ２，Ｂ１，Ｂ２の内、自車両の運転者が注目する情報表示領域（注目領域）を、運転者の視線、ジェスチャー、タッチ／キー操作、及び、音声操作に基づき判別する（Ｓ１１５，Ｓ１２５，Ｓ１４５）。
【００８９】
一方で、表示制御装置１１は、運転者の運転負荷の高低を判定し（Ｓ２１０，Ｓ３１０）、自車両の衝突危険度の高低を判定する（Ｓ２２０，Ｓ３２０，Ｓ４１０）。これらの判定により、複数の観点で自車両の走行に関する安全性の高低を判定する。
【００９０】
そして、安全性が高い環境下では、運転者が所望する注目領域が強調表示されるように、表示システム３０を制御する（Ｓ２５０，Ｓ３４０，Ｓ１７５，Ｓ４３０）。一方、安全性が低い環境下では、自車両の安全に寄与する情報を表示する特定の情報表示領域Ａ１，Ａ２が強調表示されるように、表示システム３０を制御する（Ｓ２６０，Ｓ２８０，Ｓ２９０，Ｓ３６０，Ｓ３７０，Ｓ１７５，Ｓ４４０）。
【００９１】
具体的に、本実施例では、注目領域が簡素な情報を表示する情報表示領域Ｂ１である場合には、表示制御装置１１が運転負荷の高低の判定のみによって、自車両の走行に関する安全性の高低を判定し、注目領域（情報表示領域Ｂ１）を強調表示するか、自車両の安全に寄与する情報を表示する情報表示領域Ａ１，Ａ２を強調表示するかを切り替える。即ち、運転負荷が高い場合には（Ｓ３３０でＹｅｓ）、情報表示領域Ａ１，Ａ２が強調表示され、運転負荷が低い場合には（Ｓ３３０でＮｏ）、注目領域である情報表示領域Ｂ１が強調表示されるように、表示システム３０を制御する（Ｓ３４０，Ｓ３６０，Ｓ３７０）。
【００９２】
一方、注目領域が道路情報のような運転者による理解に時間を要する複雑な情報を表示する情報表示領域Ｂ２である場合、表示制御装置１１は、運転負荷の高低の判定結果及び衝突危険度の高低の判定結果の組合せによって、自車両の走行に関する安全性の高低を判定し、注目領域を強調表示するか、情報表示領域Ａ１，Ａ２を強調表示するかを切り替える。
【００９３】
特に、本実施例では、運転負荷が低いと判定され、且つ、衝突危険度が低いと判定された場合に限って、注目領域が強調表示されるように、表示システム３０を制御し（Ｓ２５０）、運転負荷が高いと判定されている場合、又は、衝突危険度が高いと判定されている場合には、情報表示領域Ａ１，Ａ２が強調表示されるように、表示システム３０を制御する（Ｓ２６０，Ｓ２８０，Ｓ２９０）。
【００９４】
そして、衝突危険度が高い場合には、情報表示領域Ａ２が強調表示されるような表示システム３０に対する制御を行うことにより（Ｓ２６０，Ｓ２９０）、運転者の関心が衝突回避行動に向くようにし、衝突回避に有意義な情報を運転者に提供する。また、衝突危険度については高くないが、運転負荷が高い場合には、情報表示領域Ａ１が強調表示されるような表示システム３０に対する制御を行うことにより（Ｓ２８０）、運転者の関心が自車両の安全運転に向くようにし、安全運転に有意義な情報を運転者に提供する。
【００９５】
従って、本実施例によれば、運転者が所望する情報や車両安全のために運転者に提供すべき情報を、状況に応じた強調表示の切り替えにより、適切に視認性良く表示することができ、車両の安全を確保しつつ、運転者に各種情報を適切に提供することができる。
【００９６】
特に本実施例によれば、運転者の身体信号（血圧や心拍等）に基づき、運転者の心理状態（緊張／興奮した状態にあるか否か）を識別して、運転者の運転負荷の高低を判定するので、運転者の操作による車両状態に基づいて運転負荷の高低を判定するだけの場合よりも、より適切に運転負荷の高低を判定することができ、強調表示の切り替えを、運転者の心理的な側面も加味して、適切に行うことができる。
【００９７】
ところで、本実施例では、自車両の走行に関する安全性の高低として、運転者の運転負荷の高低及び自車両の衝突危険度の高低を判定するように、制御システム１を構成したが、表示システム３０が情報表示領域Ａ２を有しないシステムである場合、表示制御装置１１は、運転者の運転負荷の高低についての判定のみで、注目領域を強調表示するか否かを切り替える構成にすることができる。
【００９８】
この他、衝突危険度についての判定のみで、注目領域を強調表示するか否かを切り替えるように、表示制御装置１１は構成されてもよい。例えば、衝突危険度が低い場合には、注目領域を強調表示するが、衝突危険度が高い場合には、情報表示領域Ａ２を強調表示するといった具合である。この場合、情報表示領域Ａ１については、情報表示領域Ａ２と連動して、強調表示することができる。
【００９９】
また、上記実施例によれば、情報表示領域Ａ１，Ａ２，Ｂ１，Ｂ２のいずれか一つのみを強調表示する例について説明したが、情報表示領域Ａ１については法規により表示が義務付けられた情報を表示する領域であるので、常に強調表示するようにしてもよい。
【０１００】
この他、上記実施例では、表示装置３１，３３，３５，３７の夫々が照明ユニット３１Ａ，３３Ａ，３５Ａ，３７Ａを有し、これらの照明ユニット３１Ａ，３３Ａ，３５Ａ，３７Ａの内の一つをオンにし、他をオフにするにすることにより、情報表示領域Ａ１、Ａ２，Ｂ１，Ｂ２のいずれか一つの強調表示を実現するようにしたが、オン／オフではなく、照明ユニット３１Ａ，３３Ａ，３５Ａ，３７Ａの出力（輝度）を高める／弱めることによって、情報表示領域Ａ１，Ａ２，Ｂ１，Ｂ２のいずれか一つの強調表示を実現することも可能である。
【０１０１】
また、表示制御装置１１は、表示装置３１，３３，３５，３７の内、液晶／有機ＥＬディスプレイ等からなるディジタル表示可能な表示装置に対して、この表示装置が有する情報表示領域の明度、彩度及び色相の少なくとも一つを調整することにより、情報表示領域の更なる強調表示を行う構成にされてもよい。
【０１０２】
この他、以上には、複数の表示装置３１，３３，３５，３７を有する表示システム３０を制御する制御システム１の例について説明したが、単一の表示装置４１が上述した複数の情報表示領域Ａ１，Ａ２，Ｂ１，Ｂ２を有する表示システム４０を制御する制御システム１に、本発明を適用することも可能である。
【０１０３】
［変形例］
変形例の制御システム１は、上述した実施例と同様、複数の情報表示領域Ａ１，Ａ２，Ｂ１，Ｂ２を制御し、状況に応じて、運転者が注目する情報表示領域又は自車両の安全に寄与する情報を表示する情報表示領域を切り替えて強調表示するものである。
【０１０４】
但し、変形例の制御システム１が上述の表示システム３０に代えて制御する表示システム４０は、図１１に示すように、単一の表示装置４１からなり、複数の情報表示領域Ａ１，Ａ２，Ｂ１，Ｂ２を、この単一の表示装置４１内に備える。変形例の制御システム１は、制御対象の表示システム４０が単一の表示装置４１を備えること、及び、それに伴って
情報表示領域Ａ１，Ａ２，Ｂ１，Ｂ２の強調表示の態様が、上述した実施例と若干異なることを除けば、上述した実施例と基本的に同一構成である。従って、以下では、上述した実施例との相違点を選択的に説明する。
【０１０５】
表示装置４１は、液晶／有機ＥＬディスプレイを備え、制御システム１により制御されて、このディスプレイ上に、上述した実施例と同様の情報を表示する複数の情報表示領域Ａ１，Ａ２，Ｂ１，Ｂ２を備えた構成にされる。
【０１０６】
一方、表示制御装置１１は、情報表示領域Ａ１，Ａ２，Ｂ１，Ｂ２が表示する画像の明度、彩度、及び、色相の少なくとも一つを調整することにより、上述した実施例と同様に、状況に応じて、運転者が注目する情報表示領域又は自車両の安全に寄与する情報を表示する情報表示領域を切り替えて強調表示する。
【０１０７】
例えば、表示制御装置１１は、Ｓ２８０，Ｓ３６０，Ｓ４３０で情報表示領域Ａ１を他の情報表示領域Ａ２，Ｂ１，Ｂ２に対して強調表示する場合、情報表示領域Ａ１の明度を上げる一方、情報表示領域Ａ２，Ｂ１，Ｂ２の明度を下げることにより、強調表示を実現する。この他、表示制御装置１１は、情報表示領域Ａ１において、他の情報表示領域Ａ２，Ｂ１，Ｂ２よりも鮮やかな色を用いて情報表示を行うことにより、情報表示領域Ａ１の強調表示を実現する構成にされてもよい。
【０１０８】
また、表示制御装置１１は、情報表示領域Ａ１，Ａ２，Ｂ１，Ｂ２における表示画像の透明度を調整し、強調表示する対象以外の情報表示領域での表示画像を薄く表示することにより、強調表示する対象の情報表示領域を強調表示する構成にすることができる。
【０１０９】
変形例の表示制御装置１１は、このような手法によって、Ｓ２８０，Ｓ３６０，Ｓ４３０で情報表示領域Ａ１を強調表示し、Ｓ１７５，Ｓ２６０，Ｓ２９０，Ｓ３７０，Ｓ４４０で情報表示領域Ａ２を強調表示し、Ｓ３４０で情報表示領域Ｂ１を強調表示し、Ｓ２５０で情報表示領域Ｂ２を強調表示する。
【０１１０】
以上、変形例の制御システム１について説明したが、変形例に制御システム１においても、上述した実施例と同様の効果を得ることができる。
【符号の説明】
【０１１１】
１…制御システム、１１…表示制御装置、１１Ａ…ＣＰＵ、１１Ｂ…ＲＯＭ、１１Ｃ…ＲＡＭ、１３…操作入力装置、１５…音入力装置、１７…車室内カメラ、１９…身体測定装置群、２１…車両状態検出装置群、２３…ナビゲーション装置本体、２５…周辺観測装置、３０…表示システム、３１…表示装置、３１Ａ…照明ユニット、３３…表示装置、３３Ａ…照明ユニット、３５…表示装置、３５Ａ…照明ユニット、３７…表示装置、３７Ａ…照明ユニット、４０…表示システム、４１…表示装置、Ａ１…情報表示領域、Ａ２…情報表示領域、Ｂ１…情報表示領域、Ｂ２…情報表示領域、Ｐ０…表示制御処理、Ｐ１…視線検出処理、Ｐ２…ジェスチャー検出処理、Ｐ３…入力操作検出処理、Ｐ４…音声操作検出処理、Ｐ５…身体信号観測処理、Ｐ６…車両状態観測処理。
【図１】
2014130463.tif 000003
【図２】
2014130463.tif 000004
【図３】
2014130463.tif 000005
【図４】
2014130463.tif 000006
【図５】
2014130463.tif 000007
【図６】
2014130463.tif 000008
【図７】
2014130463.tif 000009
【図８】
2014130463.tif 000010
【図９】
2014130463.tif 000011
【図１０】
2014130463.tif 000012
【図１１】
2014130463.tif 000013